(57)【要約】【課題】  布団を収容して内部のエアーを抜くことで圧縮することが出来る布団圧縮袋に取付けられる吸気弁であって、エアーがスムーズに吸込むことが出来る布団圧縮袋の吸気弁の提供。【解決手段】  布団を収容して内部のエアーを抜くことで圧縮することが出来る布団圧縮袋の吸気弁において、該吸気弁は上シート３に固定された弁本体１９と該弁本体１９を被覆する弁蓋２０、及び弁本体１９にセットされてエアー流通穴１１を開閉することが出来る弁１０から成り、上記弁本体１９の底には下方へ延びる複数本の脚２５，２５・・を設けている。【選択図】    図５
0003114650.tif 000002
【実用新案登録請求の範囲】
【請求項１】
布団を収容して内部のエアーを抜くことで圧縮することが出来る布団圧縮袋の吸気弁において、該吸気弁は上シートに固定された弁本体と該弁本体を被覆する弁蓋、及び弁本体にセットされてエアー流通穴を開閉することが出来る弁から成り、上記弁本体の底には下方へ延びる複数本の脚を設けたことを特徴とする布団圧縮袋の吸気弁。
【請求項２】
上記複数本の脚において、中心部の脚先端を外周部の脚先端に比較して下方に位置させることで、全ての脚先端を滑らかな曲面上に位置させた請求項１記載の布団圧縮袋の吸気弁。
【請求項３】
上記脚を複数の半径上に一定間隔をおいて設けると共に、各脚は放射線方向に配列している請求項１、又は請求項２記載の布団圧縮袋の吸気弁。
【考案の詳細な説明】
【技術分野】
【０００１】
本考案は布団を収容した状態で袋内部のエアーを吸引して圧縮するもので、エアーの吸込みがスムーズに行われるように構成した布団圧縮袋に用いられる吸気弁に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように弁が取付けられている。しかし、該弁は手動で閉じなくてはならず、その為に手間がかかって面倒であるだけでなく、閉じるまでの間にエアー漏れが発生し、又完全に閉じられなくて僅かなエアー漏れを生じることもある。その結果、圧縮した袋にエアーが侵入して時間と共に布団が膨らんでしまう。時には、弁を閉じ忘れる時もある。
【０００４】
特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。
【０００７】
ところで、吸気弁は布団圧縮袋の中央部に取付けられて内部の空気を吸取るが、布団圧縮袋に収容している布団が吸気弁に密着して底に形成されるエアー流入口を塞いでしまう。従って、掃除機で吸引してもエアーを吸取ることが出来難くなる。上記特開２００５−３５５６２号に係る「弁機構」の場合、底には突条が形成されて放射状に延びている。従って、吸引開口を完全に塞ぐことはないが、放射状に延びる突条では空気の流れを規制することに成り、その結果布団袋内の空気を素早く抜き取ることが出来ない。
【特許文献１】特開２００４−３３８７８４号に係る「収納袋の排気弁」
【特許文献２】特開２００５−３５５６２号に係る「弁機構」
【考案の開示】
【考案が解決しようとする課題】
【０００８】
このように、従来の布団圧縮袋には上記のごとき問題がある。本考案が解決しようとする課題はこの問題点であり、布団圧縮袋に収容した布団が底に密着してエアーの吸込みを妨害することのない布団圧縮袋の吸気弁を提供する。
【課題を解決するための手段】
【０００９】
本考案に係る吸気弁は布団圧縮袋に取付けられるもので、該布団圧縮袋はその一辺が開口可能な形態と成っており、閉じた状態ではエアーが漏れないようにシールされる。そして、上記吸気弁は袋のほぼ中央部に取付けられ、該吸気弁にホースの先端を当てがって掃除機で吸込むことが出来る。ただし、布団圧縮袋としてのこの基本構造は従来と同じである。
【００１０】
上記吸気弁はエアーを吸込む際には自動的に開口し、吸込みを停止すると同時に自動的に閉鎖するように機能する。すなわち、手で弁を開閉操作する必要がない。吸気弁は弁本体を弁蓋とから成り、弁本体は圧縮袋のシートに固着されており、中央にはエアー流通穴が設けられ、該エアー流通穴には弁が配置されて、エアー流通穴を開閉することが出来る。ただし、本考案では上記弁の具体的な構造は限定しないことにする。
【００１１】
ところで、弁本体の底面には複数の脚が下方へ延び、各脚間は適度な空間を形成している。脚は弁本体と共に一体成形されるが、各脚の長さ及び本数は自由であり、布団生地が脚間の空間に吸込まれることのない間隔を有している。ただし、空間を小さくしてエアーの流れが抑制されることがあってはならない。
【考案の効果】
【００１２】
本考案の布団圧縮袋の吸気弁は弁本体のエアー流通穴に弁を設け、エアーの吸込みを停止すると同時に布団袋内部に発生するマイナス圧によってエアー流通穴は弁によって自動的に閉鎖され、その為にエアー漏れは発生しない。そして、弁蓋にホースを接続してエアーを吸気する際には、弁は自動的に開いてエアーを吸込むことが出来る。
【００１３】
ところで、弁本体の底には適度は空間を有して複数本の脚が設けられ、その為にエアーを吸込むことで布団生地が弁本体に密着してもエアーの吸込みが阻害されることはない。すなわち、複数脚間の空間からエアーが流れてエアー流通穴へ吸込まれ、掃除機のモータに大きな負荷を与えることなく迅速に吸引することが出来る。
【実施例】
【００１４】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１５】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１６】
上記布団圧縮袋としての基本形態は従来のものと共通しているが、本考案の特徴は吸気弁２にある。該吸気弁２はその弁構造が簡単であると共にエアー漏れを発生しない構造と成っている。図３は該吸気弁２の基本概略図であり、同図の１０は弁、１１はエアー流通穴、１２はエアー流通穴１１を形成する筒を表している。弁１０の材質が限定しないが、柔軟な材質が適している為に、樹脂製又はゴム製の弁１０と成っている。
【００１７】
上記弁１０は概略円盤形状を成し、円盤状のツバ１６の中央には下方へ突出した嵌合凸部１３が形成され、この嵌合凸部１３は上記エアー流通穴１１に嵌ることが出来る。ここで、エアー流通穴１１には下側の内径が小さくなるような傾斜内周面１４が形成され、筒１２の上端には載置突起１５が全周にわたって設けられている。
【００１８】
図３(ａ)は弁１０がエアー流通穴１１を閉鎖した状態を、(ｂ)はエアー流通穴１１が開いている状態を表している。掃除機によってエアーを吸い込む場合、弁１０の上側の気圧が低く成って該弁１０は上昇し、その為にエアー流通穴１１が一部開口する。すなわち、嵌合凸部１３が空気圧の低下にて押上げられることで、該嵌合凸部１３とエアー流通穴１１の傾斜内周面１４との間に隙間１７が形成され、この隙間１７からエアーが流れて布団圧縮袋内の空気が抜取られる。
【００１９】
そして、掃除機が停止してエアーの抜取りが停止すると同時に、弁１０の下側の空気圧が低くなり、すなわちビニール袋１の内圧がマイナスと成って弁１０は下方へ押下げられ、嵌合凸部１３はエアー流通穴１１に嵌る。エアー流通穴１１は下側の内径を小さくしている傾斜内周面１４を形成し、柔軟な材質から成る弁１０の嵌合凸部１３は傾斜内周面１４になじんで隙間なく密着する。従って、エアーが流れる隙間１７は無くなり、該エアー流通穴１１は閉鎖される。又、弁１０が押下げられることで、ツバ１６は筒上端に形成している載置突起１５に当接し、該載置突起１５とツバ１６との隙間も無くなる。
【００２０】
図４は弁１０を示す実施例であり、該弁１０は円盤状のツバ１６と該ツバ１６の中央に設けている嵌合凸部１３から成っている。弁１０の材質は柔軟な樹脂材又はゴム材であり、適当に変形して上記エアー流通穴１１の傾斜内周面１４に隙間なくなじむことが出来、又載置突起１５に隙間なく接することが出来る。嵌合凸部１３の外周面１８は滑らかに湾曲した曲面にて形成され、エアー流通穴１１の傾斜内周面１４には適度に変形して密着する。
【００２１】
円盤状ツバ１６には穴１９，１９・・が４箇所に貫通して設けられ、エアー流通穴１１に生じた隙間１７を流れたエアーはこれら穴１９，１９・・を通過して掃除機のホースに吸込まれる。勿論、穴１９，１９・・だけでなく、エアーはエアー流通穴１１の隙間１７からツバ１６の外周へ流れてホースに吸込まれる場合もある。
【００２２】
ビニール袋１に取付けられる吸気弁２は弁本体１９と弁蓋２０から成り、弁本体１９はビニール袋１の上シート３に固定され、弁蓋２０は弁本体１９に被覆される。図５は弁本体１９を単独で示し、図６は弁蓋２０を単独で表している実施例である。弁本体１９の凹部２１の底部２２にはリング状の支持片２３，２３・・、が起立して設けられ、各支持片２３，２３・・の間は切欠かれて窓２４，２４・・が形成されている。
【００２３】
そして、底部２２の中央部には上記筒１２が設けられ、筒１２は傾斜内周面１４を有すエアー流通穴１１と成っている。前記図３において、弁１０の嵌合凸部１３と傾斜内周面１４との隙間１７を流れるエアーは、上記支持片２３，２３・・間に形成される窓２４，２４・・を通過し、弁蓋２０から吸い取られる。
【００２４】
ところで、本考案の吸気弁の弁本体１９の下方には複数の脚２５，２５・・が延びている。エアー流通穴１１の中心から半径Ｒａ上には脚２５ａ，２５ａ，２５ａ・・が、半径Ｒｂ上には脚２５ｂ，２５ｂ，２５ｂ・・が、半径Ｒｃ上には脚２５ｃ，２５ｃ，２５ｃ・・が夫々等間隔で設けられている。しかも、脚２５ａ，２５ｃ，２５ｅは同一放射線上に形成され、脚２５ｂ，２５ｄも同一放射線上に形成されている。
【００２５】
従って、弁本体１９の底には複数の脚２５ａ，２５ｂ，２５ｂ・・が均等に設けられることで、各脚２５ａ，２５ｂ，２５ｃ・・間に形成される空間も均一化されて、エアーの流れはスムーズと成る。掃除機にて布団圧縮袋内のエアーが吸取られることで布団生地は弁本体１９の底に密着するが、各脚２５ａ，２５ｂ，２５ｃ・・間の空間をエアーが流れてエアー流通穴１１から吸込まれる。
【００２６】
そして、弁蓋２０の上板部２５には穴２７，２７・・、２８，２８・・が貫通して設けられ、上記弁本体１９の窓２４，２４・・から流出したエアーは弁蓋２０の穴２７，２７・・、２８，２８・・を流れて掃除機のホースに吸い取られる。又、複数本の脚において、中心部での脚先端は外周部での脚先端より下方に位置している。従って全ての脚先端は滑らかな曲面状に位置し、その為に圧縮される布団と全ての脚先端が当ることはなく、外周部では布団との間に隙間が形成される。
【００２７】
ここで、上板部２６の中心に対して円周方向に設けている穴２７，２７・・は掃除機のホース内に納まるが、放射状に設けている穴２８，２８・・はその一部が掃除機のホースに納まらずしてはみ出すような大きさとしている。従って、布団圧縮袋内部のエアーだけでなく、外部のエアーも吸込むことが出来、吸込み圧の調整が行われる。
【００２８】
図７は図４に示す弁１０を弁本体１９にセットして弁蓋２０を取付けた実施例であり、図３を具体化したものである。同図はエアー流通穴１１が弁１０にて閉鎖している状態である。弁蓋２０の上板部２６には円弧状に湾曲した脚２９，２９が下方へ延び、該脚２９，２９の外周面にはツメ３０，３０・・が形成されている。そして、上板部２６の中心には筒３１が下方へ延びている。
【００２９】
上シート３に穴を設けて弁本体１９を取付け、弁本体１９には弁蓋２０が被覆されるが、弁本体１９の平坦な接着面３４に上シート３が接着されて固定される。弁蓋２０を弁本体１９に被覆する場合、脚２９，２９が凹部２１に嵌入し、ツメ３０，３０・・が該凹部２１に沿設した内周縁３２に係止して外れないようになる。上板部２６の中心に設けている筒３１は弁１０の嵌合凸部１３の上側空間３３まで延び、エアーを吸込む場合に弁１０が押し上げられた際には該筒３１が嵌入して外れないように位置決めされる。
【００３０】
そこで、弁蓋側に掃除機のホースを接続してエアーを吸込むならば、図３(ｂ)に示すように該弁１０は上側の気圧低下によって浮上し、エアー流通穴１１の傾斜内周面１４との間に隙間１７が形成される。この隙間１７を通過して流れるエアーは弁蓋２０の穴２７，２７・・、２８，２８・・から吸込まれる。そして、エアーの吸気を停止するならば、弁１０は図３(ａ)に示すように下側の気圧低下によって下方へ引かれ、弁１０の嵌合凸部１３はエアー流通穴１１の傾斜内周面１４に密着し、蓋側からのエアーの侵入を防止する。
【００３１】
ところで、本考案に係る吸気弁は弁本体の底に複数本の脚を設けたものであり、該吸気弁に内蔵している弁機構の構造は特に限定するものではない。前記図７に示す吸気弁の弁機構はあくまでも１具体例に過ぎない。
【図面の簡単な説明】
【００３２】
【図１】布団圧縮袋の外観図。
【図２】図１のＡ−Ａ断面拡大図。
【図３】本考案の布団圧縮袋に取付けられる吸気弁の原理図。
【図４】弁の具体例。
【図５】弁本体の実施例。
【図６】弁蓋の実施例。
【図７】本考案の吸気弁を示す実施例。
【符号の説明】
【００３３】
１  ビニール袋
２  吸気弁
３  上シート
４  下シート
５  辺
６  辺
７  凹シール
８  凸シール
９  凹溝
10  弁
11  エアー流通穴
12  筒
13  嵌合凸部
14  傾斜内周
15  載置突起
16  ツバ
17  隙間
18  外周面
19  穴
20  弁蓋
21  凹部
22  底部
23  支持片
24  窓
25  脚
26  上板部
27  穴
28  穴
29  脚
30  ツメ
31  筒
32  内周縁
33  空間
34  接着面
【図１】
0003114650.tif 000003
【図２】
0003114650.tif 000004
【図３】
0003114650.tif 000005
【図４】
0003114650.tif 000006
【図５】
0003114650.tif 000007
【図６】
0003114650.tif 000008
【図７】
0003114650.tif 000009